(57)【要約】【課題】ディスクトレーと回路基板との間でフレキシブルプリント基板を引き回すように使用する際、フレキシブルプリント基板の波打ちやワカメ状の変形や切断等を防止しながら、ディスク装置の薄型化を促進する。【解決手段】ディスク装置本体２から出し入れされるディスクトレー３の下部に空間２４を隔てて配置された下カバー２３と、両端が前記回路基板２０とディスクトレー３とに接続されて、空間２４内に湾曲されて配置され、ディスクトレー３のディスク装置本体２からの出し入れに追従して空間２４内で湾曲された状態で移動されるたフレキシブルプリント基板２１とを備えたディスク装置。【選択図】図４
2005100649.tif 000002
【特許請求の範囲】
【請求項１】
ディスク装置本体内の後方側に設けられた回路基板と、
光学ピックアップ及びディスクテーブを有するルスピンドルが搭載されて、前記ディスク装置本体から出し入れされるディスクトレーの下部に空間を隔てて配置された下カバーと、
両端が前記回路基板と前記ディスクトレーとに接続されて、前記ディスクトレーと前記下カバーとの間の前記空間内に湾曲されて配置され、前記ディスクトレーの前記ディスク装置本体からの出し入れに追従して前記空間内で湾曲された状態で移動されるフレキシブルプリント基板とを備えた
ことを特徴とするディスク装置。
【請求項２】
前記フレキシブルプリント基板が前記空間内にほぼＵ字状に湾曲されて配置されていることを特徴とする請求項１に記載のディスク装置。
【請求項３】
前記フレキシブルプリント基板には、外力を除去することにより直線状に復帰しようとする弾性復帰力が付与されていることを特徴とする請求項２に記載のディスク装置。
【発明の詳細な説明】
【技術分野】
【０００１】
本発明は、フレキシブルプリント基板と、ＣＤプレーヤやＣＤ−ＲＯＭドライブ等に適用するのに最適なディスク装置に関するものである。
【背景技術】
【０００２】
従来から、ＣＤプレーヤやＣＤ−ＲＯＭドライブ等のディスク装置において、ＣＤやＣＤ−ＲＯＭ等の記録及び／又は再生用のディスクをディスクトレーによってディスク装置本体に対してローディング及びイジェクトするものがある。そして、この種ディスク装置で、特に、スピンドルモータや光学ピックアップをディスクトレーに取り付けてディスク装置本体から出し入れするものでは、ディスク装置本体内に固定された回路基板と可動部であるディスクトレーとの間をフレキシブルプリント基板によって電気的に接続している。
【０００３】
即ち、従来からこの種ディスク装置は、図５及び図６に示すように構成されている。
【０００４】
まず、このディスク装置は、ＣＤやＣＤ−ＲＯＭ等の光ディスクや光磁気ディスク等のディスク１を記録及び／又は再生するものであり、そのディスク１には中心穴１ａが形成されている。
【０００５】
次に、扁平な箱型に形成されたディスク装置本体２の前端に横長の開口２ａが形成されていて、この開口２ａからディスクトレー３が矢印ａ、ｂ方向に水平に出し入れ自在に取り付けられている。
【０００６】
そして、このディスクトレー３の左右両側面の後端とディスク装置本体２内の左右両側の前端とに回転自在に取り付けた左右各一対のガイドローラ４、５をディスク装置本体２内の左右両側及びディスクトレー３の左右両側に形成された左右各一対のガイド溝６、７内に遊嵌されている。そして、これらのガイドローラ４、５及びガイドレール６、７からなるガイド機構によってディスクトレー３が案内されてディスク装置本体２に対して矢印ａ、ｂ方向にローディング及びイジェクトされるように構成されている。
【０００７】
次に、ディスクトレー３の上面にはディスク１が装着されるほぼ円形の凹所９が形成されていて、この凹所９の中央部にディスクテーブル１０が取り付けられている。そして、ディスクトレー３の下部に取り付けられたスピンドルモータ１１のスピンドル１２によってディスクテーブル１０が回転駆動されるように構成されている。なお、ディスクテーブル１０には３つのボール１３を用いたセルフチャッキング機構が取り付けられている。
【０００８】
次に、ディスクトレー３にはディスクテーブル１０の矢印ｂ方向側に開口部１４が形成されていて、この開口部１４内に対物レンズ１５を有するキャリッジ１６をディスクトレー３の下部に取り付けられたリニアボイスコイルモータ（図示せず）によって開口部１４内で矢印ａ、ｂ方向に移送するようにした光学ピックアップ１７が取り付けられている。
【０００９】
そして、ローディング時には、図５に示すように、ディスク装置本体２外に矢印ｂ方向にイジェクトされたディスクトレー３の凹所９内にディスク１を上方から水平に挿入して、そのディスク１を中心穴１ａによってディスクテーブル１０上に水平に嵌合して、３つのボール１３によるセルフチャッキング機構によってセルフチャッキングする。すると、ディスク１の記録面が光学ピックアップ１６の対物レンズ１５上に近接される。
【００１０】
次に、図６に示すように、ディスクトレー３によって、ディスク１をディスクテーブル１０上にセルフチャッキングしたまま、スピンドルモータ１２及び光学ピックアップ１７等と一緒にディスク装置本体２内に矢印ａ方向からローディングする。
【００１１】
そして、図６に示すローディング状態で、ホストコンピュータのコマンド等によってスピンドルモータ１１によってディスクテーブル１０を介してディスク１を回転駆動すると共に、光学ピックアップ１７のキャリッジ１６をリニアボイスコイルモータによって開口部１４内で矢印ａ、ｂ方向に移送して、対物レンズ１５から照射されるレーザ光によってディスク１の記録及び／又は再生を行う。
【００１２】
そして、イジェクト時には、図５に示すように、ローディング時と逆に、ディスクトレー３によって、ディスク１をスピンドルモータ１２及び光学ピックアップ１７等と一緒にディスク装置本体２外に矢印ｂ方向にイジェクトする。
【００１３】
そして、この種ディスク装置では、図５及び図６に示すように、ディスク装置本体２内の底板２ｂ上等にビス１９等によって固定された回路基板２０と、可動部であるディスクトレー３との間を帯状のフレキシブルプリント基板２１によって電気的に接続している。
【００１４】
この際、図７及び図８に示すように、フレキシブルプリント基板２１を長さ方向に沿ってほぼＵ字状に屈曲して引き回して、そのフレキシブルプリント基板２１の一端（固定端）２１ａをコネクター２２等によって固定部である回路基板２０に接続して固定する。そして、このフレキシブルプリント基板２１のほぼＵ字状に屈曲して引き回した他端（可動端）２１ｂを可動部であるディスクトレー３の下面３ｂで矢印ａ方向側の端部に接着等にて固着している。そして、フレキシブルプリント基板２１の他端２１ｂから延長された延長部やその他端２１ｂに半田付けやコネクター等によって接続された別のフレキシブルプリント基板をスピンドルモータ１２や光学ピックアップ１７のキャリッジ１６等に引き回している。
【００１５】
そして、図５に示すように、ディスクトレー３がディスク装置本体２外に矢印ｂ方向にイジェクトされた時には、フレキシブルプリント基板２１の他端２１ｂが一端２１ａから矢印ｂ方向に遠ざかることによって、フレキシブルプリント基板２１を直線状に引き伸ばす。
【００１６】
そして、図６及び図７に示すように、ディスクトレー３がディスク装置本体２内に矢印ａ方向にローディングされた時には、フレキシブルプリント基板２１の他端２１ｂが一端２１ａに矢印ａ方向から近づくことによって、ディスクトレー３の下面３ａと、その下面３ａの下方に間隔を隔てて水平に取り付けられてディスクトレー３と一体に移動される光学ピックアップ１７の下カバー２３との間の狭い隙間２４内に、フレキシブルプリント基板２１を矢印ｂ方向からほぼＵ字状に屈曲させて相対的に入り込ませるようにしている。
【発明の開示】
【発明が解決しようとする課題】
【００１７】
この種ディスク装置は近年薄型化が著しく促進されており、薄型化に伴い、図６に示す狭い隙間２４の高さ寸法Ｈが益々狭くなっている。
【００１８】
一方、フレキシブルプリント基板２１は、カバーフィルムや銅箔の関係で、厚みを薄くすると、図７及び図８に示すように、ほぼＵ字状に屈曲される屈曲部２１ｃの曲率Ｒを小さくできる反面、腰が弱くなって波を打ったり、ワカメ状に変形し易く、狭い隙間２４内に矢印ｂ方向からスムーズに入っていかなくなる。そして、図６に１点鎖線で示すように、最終的に、フレキシブルプリント基板２１がしわくちゃに押し潰されて、切れ易くなり、耐久性が悪くなり易かった。
【００１９】
また、フレキシブルプリント基板２１の厚みを厚くしてしまうと、屈曲部２１ｃの曲率Ｒが大きくなって、フレキシブルプリント基板２１が狭い隙間２４内にうまく入らなかったり、ディスクトレー３のローディング及びイジェクト動作が阻害されてしまうと言う問題があった。
【課題を解決するための手段】
【００２０】
本発明は、上記の問題を解決するためになされたものであって、フレキシブルプリント基板をほぼＵ字状に屈曲させて引き回すように使用する際、フレキシブルプリント基板の波打ちやワカメ状の変形を防止すると共に、屈曲部の曲率を小さくできるようにしたフレフレキシブルプリント基板を用いたディスク装置を提供するために、ディスク装置本体内の後方側に設けられた回路基板と、光学ピックアップ及びディスクテーブを有するルスピンドルが搭載されて、前記ディスク装置本体から出し入れされるディスクトレーの下部に空間を隔てて配置された下カバーと、両端が前記回路基板と前記ディスクトレーとに接続されて、前記ディスクトレーと前記下カバーとの間の前記空間内に湾曲されて配置され、前記ディスクトレーの前記ディスク装置本体からの出し入れに追従して前記空間内で湾曲された状態で移動されるたフレキシブルプリント基板とを備えたことを主要な特徴とするものである。
【００２１】
また、本発明は、前記フレキシブルプリント基板が前記空間内にほぼＵ字状に湾曲されて配置されていることを特徴とし、更に、前記フレキシブルプリント基板に、外力を除去することにより直線状に復帰しようとする弾性復帰力が付与されていることを特徴としているものである。
【発明の効果】
【００２２】
本発明のディスク装置は、ディスクトレーをディスク装置本体に対して出し入れする際に、両端がディスク装置本体内の後方側の回路基板とディスクトレーとに接続されたフレキシブルプリント基板を、そのディスクトレーの下部の下カバーとの間に形成された空間内で、ディスクトレーのディスク装置本体からの出し入れに追従させて湾曲させながらスムーズに移動させることができるので、フレキシブルプリント基板が切れにくく、耐久性が著しく向上する。
【００２３】
本発明のディスク装置は、フレキシブルプリント基板がディスクトレーの下部の下カバーとの間の空間内にほぼＵ字状に湾曲されて配置されていて、ディスクトレーの出し入れ時にフレキシブルプリント基板をその空間内でディスクトレーに追従させてスムーズ移動させることができるので、フレキシブルプリント基板によってディスクトレーの移動が阻害されにくく、ディスクトレーのローディング及びイジェクト動作をスムーズに行える。
【００２４】
本発明のディスク装置は、フレキシブルプリント基板に、外力を除去することにより直線状に復帰しようとする弾性復帰力が付与されていて、ディスクトレーの出し入れ時にフレキシブルプリント基板をその空間内で、曲率半径を小さく保たせた状態で、ディスクトレーに追従させてスムーズ移動させることができるので、ディスク装置の薄型化を促進することができる。
【実施例】
【００２５】
以下、本発明をＣＤプレーヤやＣＤ−ＲＯＭドライブ等のディスク装置に適用した一実施例を図１〜図４を参照して説明する。なお、図５〜図８と同一構造部には同一の符号を付して説明の重複を省く。
【００２６】
まず、図１は、帯状のフレキシブルプリント基板２１の長さ方向に対して直角な方向の断面形状を浅いＶ字状である山形２１Ａや円弧状２１Ｂに形成したものである。この際、フレキシブルプリント基板２１を加熱しながら加圧する加工法等によって、山形２１Ａや円弧状２１Ｂに容易に加工できる。
【００２７】
そして、図４に示すように、フレキシブルプリント基板２１の両端２１ａ、２１ｂをディスク装置本体２内の回路基板２０とディスクトレー３の下面３ｂとに取り付けた時に、山形２１Ａや円弧状２１Ｂの凹み側が内側に来るようにして、このフレキシブルプリント基板２１をほぼＵ字状に屈曲させて引き回すようにしたものである。
【００２８】
なおこの際、図１に示すように、プラスチックフィルムやステンレス薄板等によって断面形状が山形２１Ａや円弧状２１Ｂに形成された補強部材２６をフレキシブルプリント基板２１の両端２１ａ、２１ｂや必要に応じて長さ方向の複数箇所に接着等にて裏打ちすることによって、フレキシブルプリント基板２１の断面形状を山形２１Ａや円弧状２１Ｂに付勢するようにしても良い。
【００２９】
また、フレキシブルプリント基板２１の断面形状を予め山形２１Ａや円弧状２１Ｂに加工した上で、更に、補強部材２６による裏打ちを行っても良い。
【００３０】
次に、図２はフレキシブルプリント基板２１のベースフィルム２７の厚さＴ1 を厚くするか、熱収縮率の高い材質を用い、銅箔によって形成された配線パターン２８側にラミネートされたカバーフィルム２９の厚さＴ2 を薄くするか、熱収縮率の低い材質を用い、これらを加熱収縮させて、ベースフィルム２７とカバーフィルム２９の熱収縮率の差を利用して、フレキシブルプリント基板２１を円弧状に形成したものである。
【００３１】
次に、図３はフレキシブルプリント基板２１の長さ方向に沿ってプラスチックフィルムや金属線（ピアノ線）等にて形成された弾性を有する線状の芯材３０を接着したものである。
【００３２】
以上のように形成された本発明のフレキシブルプリント基板２１によれば、フレキシブルプリント基板２１の長さ方向に対する直角な方向の断面形状が山形２１Ａや円弧状２１Ｂに形成されているので、フレキシブルプリント基板２１の厚さを薄くしても、フレキシブルプリント基板２１をほぼＵ字状に屈曲した時の弾性反発力が強く、外力を除去した時に、フレキシブルプリント基板２１が矢印ｃ方向に復帰しようとする弾性復帰力が山形２１Ａや円弧状２１Ｂの断面形状によって助長されているので、強い弾性復帰力を発生させることができる。
【００３３】
従って、フレキシブルプリント基板２１の厚さを薄くしても、フレキシブルプリント基板２１が波を打ったり、ワカメ状に変形しにくい。そして、厚さを薄くできるので、ほぼＵ字状に屈曲した際の屈曲部２１ｃの曲率Ｒを小さくできる。
【００３４】
この結果、図４に示すように、フレキシブルプリント基板２１をディスク装置本体２内の回路基板２０とディスクトレー３の下面３ｂとの間にほぼＵ字状に屈曲させて引き回した際、フレキシブルプリント基板２１の屈曲部２１ｃの曲率Ｒを小さく保たせた状態で、フレキシブルプリント基板２１をディスクトレー３に追従させて矢印ａ、ｂ方向にスムーズに移動させることができる。
【００３５】
これにより、ディスクトレー３が矢印ａ方向に移動される時に、ディスクトレー３の下面３ｂと光学ピックアップ１７の下カバー２３との間の狭い隙間２４内に、フレキシブルプリント基板２１を矢印ｂ方向から相対的にスムーズに入り込ませることができるので、フレキシブルプリント基板２１が狭い隙間２４内にうまく入り込まず、しわくちゃに押し潰されて、最終的に切れてしまうような不都合を未然に防止できる。
【００３６】
そして、狭い隙間２４の高さ寸法Ｈを従来に比べてより一層狭く設計することが可能になり、ディスク装置本体の薄型化を促進できる。
【００３７】
そして、フレキシブルプリント基板２１をディスクトレー３に追従して矢印ａ、ｂ方向にスムーズに移動させることができるので、フレキシブルプリント基板２１によってディスクトレー３の矢印ａ、ｂ方向の移動が阻害されにくく、ディスクトレー３のローディング及びイジェクト動作をスムーズに行える。
【産業上の利用可能性】
【００３８】
以上、本発明の実施例に付き述べたが、本発明は上記の実施例に限定されることなく、本発明の技術的思想に基づいて各種の変更が可能である。
例えば、上記の実施例では、フレキシブルプリント基板をディスク装置に適用したが、ディスク装置に限定されることなく、各種の電子機器にフレキシブルプリント基板をほぼＵ字状に屈曲させて引き回して、そのフレキシブルプリント基板の両端を相対的に遠近方向に繰り返し移動させる場合に有効なものである。
【図面の簡単な説明】
【００３９】
【図１】図１の（Ａ）は本発明のフレキシブルプリント基板の実施例を説明する斜視図  であり、図１の（Ｂ）及び（Ｃ）は図１のＡ−Ａ矢視での断面形状の２つの例を示した  断面図である。
【図２】同上のフレキシブルプリント基板の円弧状の断面形状の加工方法を説明する断  面図である。
【図３】図３の（Ａ）は同上のフレキシブルプリント基板の他の例を示した斜視図であ  り、図３の（Ｂ）は図３のＢ−Ｂ矢視での断面図である。
【図４】同上のフレキシブルプリント基板をディスク装置のディスク装置本体とディス  クテーブルとの間にほぼＵ字状に屈曲させて引き回して使用することを説明する側面図  である。
【図５】本発明のディスク装置全体のイジェクト状態の透視図である。
【図６】本発明のディスク装置全体のローディング状態の透視図である。
【図７】従来のフレキシブルプリント基板をディスク装置のディスク装置本体とディス  クトレーとの間にほぼＵ字状に屈曲させて引き回して使用する際の不都合を説明する側  面図である。
【図８】図８の（Ａ）は従来のフレキシブルプリント基板の斜視図であり、図８の（Ｂ  ）は図８の（Ａ）のＣ−Ｃ矢視での断面図である。
【符号の説明】
【００４０】
１      ディスク、  ２      ディスク装置本体、  ３      ディスクトレー（可動部）、  １０    ディステーブル、  １１    スピンドルモータ、  １７    光学ピックアップ、  ２０    回路基板（固定部）、  ２１    フレキシブルプリント基板、
２１ａ  フレキシブルプリント基板の一端、  ２１ｂ  フレキシブルプリント基板の他端、  ２１ｃ  フレキシブルプリント基板の屈曲部、  ２１Ａ  フレキシブルプリント基板の山形の断面形状、  ２１Ｂ  フレキシブルプリント基板の円弧状の断面形状、
２３    下カバー、  ２４    狭い隙間
【図１】
2005100649.tif 000003
【図２】
2005100649.tif 000004
【図３】
2005100649.tif 000005
【図４】
2005100649.tif 000006
【図５】
2005100649.tif 000007
【図６】
2005100649.tif 000008
【図７】
2005100649.tif 000009
【図８】
2005100649.tif 000010